(57)【要約】      （修正有）【課題】布団など寝具を吸塵するとき、生地の吸入を防止することができる掃除機の台座および真空掃除機を提供する。【解決手段】掃除機の台座は、吸入溝１００が設けられる台座本体１と、吸入溝内の取付具１０のくぼみ部１０２に回転可能に設置されるローラ２とを含む。ローラに汚れ吸入口が設けられ、吸入溝内に、掃除機のフィルタ部と通じる吸入孔が設けられる。掃除機の台座が清掃しようとする表面で移動するとき、ローラは清掃しようとする表面に対して摩擦し、回転して生地の吸入を防止する。【選択図】図２
0003193138.tif 000002
【実用新案登録請求の範囲】
【請求項１】
掃除機の台座であって、
吸入溝（１００）が設けられる台座本体（１）と、
吸入溝（１００）内に回転可能に設置されるローラ（２）と、を含み、前記ローラ（２）に、前記吸入溝（１００）内に汚れを吸入する汚れ吸入口（２０１）が設けられ、前記吸入溝（１００）内に、前記掃除機のフィルタ部と通じる吸入孔（１０１）が設けられ、
前記掃除機の台座が清掃しようとする表面で移動するとき、前記ローラ（２）が前記清掃しようとする表面に対して摩擦し、回転することを特徴とする、掃除機の台座。
【請求項２】
前記吸入溝（１００）に固定されるローラフレーム（３）をさらに含み、前記ローラ（２）が前記ローラフレーム（３）に回転可能に取り付けられ、前記ローラフレーム（３）に前記ローラ（２）が突き出すフレーム開口が設けられることを特徴とする、請求項１に記載の掃除機の台座。
【請求項３】
前記ローラフレーム（３）に、前記ローラ（２）を回転可能に取り付ける２つの留め具（３０１）が対応して設けられ、２つの前記留め具（３０１）が、それぞれ前記フレーム開口の一側に設けられ、前記ローラ（２）の両端にそれぞれ差込孔（２０２）が設けられて、２つの前記差込孔（２０２）がそれぞれ１つの前記留め具（３０１）に嵌設され、それぞれの前記留め具（３０１）の外側面の形状が、それぞれの前記差込孔（２０２）の内壁の形状と符合し、
少なくとも１つの前記留め具（３０１）に、前記留め具（３０１）を前記差込孔（２０２）内に嵌め込むのに用いられる案内面（３０２）が設けられることを特徴とする、請求項２に記載の掃除機の台座。
【請求項４】
前記ローラ（２）が、２個または２個以上の順番に設置されるローラユニット（２０３）、および隣接する２個のローラユニット（２０３）を接続する接続軸（２０４）を含み、それぞれの前記ローラユニット（２０３）の隣接するもう１つのローラユニット（２０３）に向いている一側に接続面（２０５）が設けられ、前記留め具（３０１）に向いている一側に前記差込孔（２０２）が設けられ、前記接続軸（２０４）の両端がそれぞれ１つの前記接続面（２０５）に固定され、前記接続軸（２０４）が前記ローラ（２）の軸心線に位置することを特徴とする、請求項３に記載の掃除機の台座。
【請求項５】
前記ローラフレーム（３）に、さらに前記接続軸（２０４）に対応して、前記ローラ（２）が抜け出るのを防止するストッパー（３０３）が設けられ、前記ストッパー（３０３）が前記ローラ（２）の軸方向に垂直であり、前記ストッパー（３０３）が前記フレーム開口を複数の収容部（３０４）に仕切り、それぞれの前記ローラユニット（２０３）を１つの前記収容部（３０４）内に嵌めることを特徴とする、請求項４に記載の掃除機の台座。
【請求項６】
前記吸入溝（１００）内に取付具（１０）が設けられ、前記取付具（１０）が前記ローラフレーム（３）に垂直に設けられ、前記取付具（１０）に、前記接続軸（２０４）を取り付けるくぼみ部（１０２）が設けられ、前記接続軸（２０４）が前記くぼみ部（１０２）内に回転可能に嵌入されることを特徴とする、請求項５に記載の掃除機の台座。
【請求項７】
前記ローラ（２）表面に波形の筋が設けられることを特徴とする、請求項１〜６のいずれか１項に記載の掃除機の台座。
【請求項８】
前記台座本体（１）の底面にさらに振動片（１０３）が固定設置され、前記台座本体（１）内に、前記振動片（１０３）を周期的に叩く叩き装置（４）が取り付けられ、前記叩き装置（４）が、前記振動片（１０３）を叩く叩き板（４０１）と、前記叩き板（４０１）を周期的に運動させるクランク伝動部品と、前記台座本体（１）の底面内側に固定される駆動部品とを含むことを特徴とする、請求項１に記載の掃除機の台座。
【請求項９】
前記台座本体（１）の底面に殺菌灯取付溝（５）が設けられ、前記殺菌灯取付溝（５）内に紫外線ランプ（６）が取り付けられることを特徴とする、請求項１に記載の掃除機の台座。
【請求項１０】
請求項１〜８のいずれか１項に記載の掃除機の台座を含むことを特徴とする、真空掃除機。
【考案の詳細な説明】
【技術分野】
【０００１】
本考案は真空吸塵に関し、より具体的には、掃除機の台座および当該掃除機の台座が設置された真空掃除機に関する。
【背景技術】
【０００２】
真空掃除機の構造は、吸入口、電動機、ファンブレード、フィルタ、集塵ボックス、排気口などからなり、その動作過程は以下の通りである。整流子電動機（Ｃｏｍｍｕｔａｔｏｒｍｏｔｏｒ）を使用してファンブレードを１万回転／分以上で回転させ、内部に真空状態を形成させ、吸入口を通して塵埃または残渣を吸入する。吸入された空気は、フィルタを経て塵埃または残渣などが濾過された後、排気口から排出される。これは、自動で電源コードを巻き付ける機能を有し、なおかつフィルタに付着した塵埃を自動で取り除く装置が取り付けられる。電源コードを引き出すか、または巻き付けるとき、歯車の動作によりフィルタに付着した塵埃が除去される。吸入口も使用場所に基づいて使用しやすいように設計される。
【０００３】
しかし、従来の真空掃除機は、吸入口を通して硬い室内の床板から塵埃などの異物を吸入するが、布団など寝具類に対して吸塵を行うとき、生地が容易に吸入口により吸入される。そのため、清掃しにくい問題が存在している。
【考案の概要】
【考案が解決しようとする課題】
【０００４】
本考案の実施例は、布団など寝具の吸塵を行うとき、生地の吸入を防止することができる掃除機の台座および真空掃除機を提供する。
【課題を解決するための手段】
【０００５】
上記技術的問題を解決するため、本考案の実施例は掃除機の台座を提供する。これは、
吸入溝が設けられる台座本体と、
吸入溝内に回転可能に設置されるローラと、を含む。ローラに、前記吸入溝内に汚れを吸入する汚れ吸入口が設けられ、前記吸入溝内に、前記掃除機のフィルタ部と通じる吸入孔が設けられる。
【０００６】
前記掃除機の台座が清掃しようとする表面で移動するとき、前記ローラは前記清掃しようとする表面に対して摩擦し、回転する。
【０００７】
このうち、前記掃除機の台座は、前記吸入溝に固定されるローラフレームをさらに含む。前記ローラは前記ローラフレームに回転可能に取り付けられ、前記ローラフレームに、前記ローラが突き出すフレーム開口が設けられる。
【０００８】
このうち、前記ローラフレームに、前記ローラを回転可能に取り付ける２つの留め具が対応して設けられる。２つの前記留め具は、それぞれ前記フレーム開口の一側に設けられ、前記ローラの両端にそれぞれ差込孔が設けられて、２つの前記差込孔はそれぞれ１つの前記留め具に嵌設される。それぞれの前記留め具の外側面の形状は、それぞれの前記差込孔の内壁の形状と符合する。
【０００９】
少なくとも１つの前記留め具に、前記留め具を前記差込孔内に嵌め込むのに用いられる案内面が設けられる。
【００１０】
このうち、前記ローラは、２個または２個以上の順番に設置されるローラユニット、および隣接する２個のローラユニットを接続する接続軸を含む。それぞれの前記ローラユニットの隣接するもう１つのローラユニットに向いている一側に接続面が設けられ、前記留め具に向いている一側に前記差込孔が設けられる。前記接続軸の両端が、それぞれ１つの前記接続面の中心に固定される。
【００１１】
このうち、前記ローラフレームに、さらに前記接続軸に対応して、前記ローラが抜け出るのを防止するストッパーが設けられ、前記ストッパーは前記ローラの軸方向に垂直である。前記ストッパーは前記フレーム開口を複数の収容部に仕切り、それぞれの前記ローラユニットを１つの前記収容部内に嵌める。
【００１２】
このうち、前記吸入溝内に取付具が設けられ、前記取付具は前記ローラフレームに垂直である。前記取付具に前記接続軸を取り付けるくぼみ部が設けられ、前記接続軸は前記くぼみ部内に回転可能に嵌入される。
【００１３】
このうち、前記ローラ表面に波形の筋が設けられる。
【００１４】
このうち、前記台座本体の底面にさらに振動片が固定設置され、前記台座本体内に、前記振動片を周期的に叩く叩き装置が取り付けられる。前記叩き装置は、前記振動片を叩く叩き板と、前記叩き板を周期的に運動させるクランク伝動部品と、前記台座本体の底面内側に固定される駆動部品とを含む。
【００１５】
このうち、前記台座本体の底面に殺菌灯取付溝が設けられ、前記殺菌灯取付溝内に紫外線ランプが取り付けられる。
【００１６】
関連して、本考案の実施例は、さらに上記の掃除機の台座を含む真空掃除機を提供する。
【００１７】
本考案の実施例は、汚れ吸入口を有するローラを吸入溝内に回転可能に設置することにより、掃除機が布団など清掃しようとする表面で移動するとき、生地が吸入孔に吸入されない。
【図面の簡単な説明】
【００１８】
本考案の実施例または既存技術における技術案をより明瞭に説明するため、実施例の記載において使用する必要がある付図を以下に簡単に解説する。以下の記載における付図は、本考案のいくつかの実施例であることは自明であり、創造的労働を費やさない前提の下、当業者はさらにこれらの付図に基づいてその他の付図を得ることができる。
【００１９】
【図１】図１は、本考案の実施例で提供される掃除機の台座の正面図である。
【図２】図２は、本考案の実施例で提供される掃除機の台座の分解概要図である。
【図３】図３は、本考案の実施例で提供されるローラフレームである。
【図４】図４は、本考案の実施例で提供されるローラである。
【図５】図５は、本考案の実施例で提供されるローラおよびローラフレームの組立概要図である。
【図６】図６は、本考案の実施例で提供される掃除機の台座の分解概要図である。
【図７ａ】図７ａは、図６に示す掃除機の台座の底面内側における構造概要図である。
【図７ｂ】図７ｂは、図６に示す掃除機の台座の底面内側における構造概要図である。
【考案を実施するための形態】
【実施例】
【００２０】
以下に本考案の実施例における付図を組み合わせて、本考案の実施例の技術案に対して明瞭、完全な記載を行う。記載する実施例は本考案の一部の実施例に過ぎず、全ての実施例ではないことは明らかである。本考案の実施例に基づいて、当業者が創造的労働を費やさなかったという前提の下で得られたすべてのその他の実施例は、いずれも本考案の保護範囲に属する。
【００２１】
図１および図２を参照されたい。図１および図２は、それぞれ本考案の実施例で提供される掃除機の台座の正面図および分解概要図である。図１、図２に示すように、当該掃除機の台座は、台座本体１、ローラ２、ローラフレーム３を含む。当該台座本体１の底部に吸入溝１００が設けられ、ローラ２は吸入溝１００内に回転可能に設置される。
【００２２】
具体的に、吸入溝１００を倒置、すなわち吸入溝１００の底面を上にし、その開口を下に向けて設置する。吸入溝１００内に吸入孔１０１が設けられ、掃除機が動作するとき、汚れが当該吸入孔を経て掃除機内のフィルタ部に進入する。ローラ２は吸入溝１００の開口部分に回転可能に設置され、ローラ２の表面に汚れ吸入口２０１が設けられる。掃除機の台座が清掃しようとする表面で移動するとき、ローラ２は清掃しようとする表面に対して摩擦し、回転して前に進む。本考案の実施例において、汚れ吸入口２０１はローラ２の表面の一面に配置され、掃除機の台座が清掃しようとする表面で移動するとき、汚れ吸入口２０１は順番に清掃しようとする表面と接触する。摩擦を増強するために、ローラ２の表面に波形の筋が設けられる。
【００２３】
ローラフレーム３は吸入溝１００の開口部分に固定され、関連して、ローラ２はローラフレーム３に回転可能に取り付けられる。取付および取外しと、ローラ２およびローラフレーム３のメンテナンス、取替を便利にするため、ローラフレーム３に複数のネジ穴が設けられ、ネジにより台座本体１に固定、取付が行われる。これ以外に、ローラフレーム３は接着剤などにより台座本体１に固定することもできる。
【００２４】
図３を参照されたい。図３は、本考案の実施例で提供されるローラフレームである。図３に示すのはローラフレーム３の掃除機に向いている一面であり、これは図２に示す面と反対の面である。ローラフレーム３にフレーム開口、およびフレーム開口の両側にそれぞれ設置される留め具３０１が設けられる。ローラ２はローラフレーム３に回転可能に取り付けられ、その端部は清掃しようとする表面と接触するために、フレーム開口から突き出している。本考案の実施例において、フレーム開口の両側に、それぞれ１つの留め具３０１が設けられる。留め具３０１はローラフレーム３からフレーム開口に突き出している。ローラ２の両端にそれぞれ差込孔２０２が設けられ、２つの差込孔２０２をそれぞれ１つの留め具３０１に嵌設させる。ローラ２を取り付けた後、スムーズに回転することができるようにするため、留め具３０１の外側面の形状は、差込孔２０２の内壁の形状と符合する。
【００２５】
留め具３０１はいずれもフレーム開口に突き出すため、ローラの取付を便利にするために、本考案の実施例においては、少なくとも１つの前記留め具３０１に、留め具３０１を差込孔２０２内に嵌め込むのに用いられる案内面３０２が設けられる。１つの留め具３０１のみに案内面３０２が設けられる場合、取り付けるとき、ローラ２の一端の差込孔２０２を、案内面３０２を設けていない留め具３０１に嵌設し、別の一端を案内面３０２に当接させる。ローラ２に力を加え、ローラ２の案内面３０２に当接させた一端を、案内面３０２に沿って運動させる。最後に、案内面３０２が設けられた留め具３０１を差込孔２０２に嵌め込む。２つの留め具３０１のいずれにも案内面３０２が設けられている場合、取り付けるとき、最初に嵌め込む留め具３０１は自由に選択することができる。
【００２６】
この他、案内面３０２が設けられた留め具３０１は、以下の実施方式によって取り替えることもできる。留め具はローラフレームに回転可能に取り付けられ、留め具およびローラフレームはスナップリングにより接続される。ローラは、当該側面の差込孔を取り付ける必要があるとき、留め具を押さえつけて、留め具をローラフレームの表面に近づける。ローラを所定の位置に位置させた後、留め具を放して、留め具を差込孔内に弾み入れて、留め具を組み合わせる。
【００２７】
図４を参照されたい。図４は、本考案の実施例で提供されるローラである。当該ローラ２は、２つの順番に設置されるローラユニット２０３、および２つのローラユニット２０３を接続する接続軸２０４を含む。２つのローラユニット２０３の向かい合う一側に接続面２０５が設けられ、留め具３０１に向いている一側に差込孔２０２が設けられる。接続軸２０４の両端は、それぞれ１つの接続面２０５の中心に固定され、つまり、接続軸２０４はローラ２の軸心線に設置される。これにより、掃除機の移動過程において、ローラ２の軸心線の清掃しようとする表面に対する高さは、変化せずに保持することができる。関連して、ローラフレーム３における接続軸に対応する位置に、ストッパー３０３が設けられ、ストッパー３０３はローラ２の軸方向に垂直である。ストッパー３０３は、フレーム開口を２つの収容部３０４に仕切り、２つのローラユニット２０３はそれぞれ１つの収容部３０４に嵌入される。ストッパー３０３は、２つのローラユニット２０３の間に位置し、それによりローラ２の端部が抜けてローラ２の回転を妨げることはない。図５に示すのは、本考案の実施例で提供されるローラ２およびローラフレーム３の組立概要図である。
【００２８】
この他、ローラ２は３個またはより多くのローラユニット２０３を含むことができる。両側のローラユニット２０３には、取り付けるためにそれぞれ１つの差込孔２０２が設けられ、中間のローラユニット２０３には接続面２０５が設けられ、接続軸２０４により接続される。ストッパー３０３は接続軸２０４の数に対応して設けられ、フレーム開口をローラユニット２０３の数と同じ収容部３０４に仕切る。
【００２９】
さらには、掃除機の台座に、複数の並行に設置されるローラ２を取り付けることもできる。このとき、それぞれのローラ２は２つの留め具３０１に対応し、相応する位置の接続軸は同一のストッパー３０３に対応し、異なるローラ２のローラユニット２０３を同一の収容部３０４に嵌めることができる。具体的な取付は上記の単一ローラの実施例を参照することができるため、ここでは省略する。
【００３０】
図２に示すように、吸入溝１００内に、接続軸２０４に対応して取付具１０が設けられ、取付具１０はローラフレーム３に垂直に設けられる。さらには、取付具１０に接続軸２０４を取り付けるくぼみ部１０２が設けられ、接続軸２０４はくぼみ部１０２内に回転可能に嵌入される。しかも、ローラ２を安定して取り付けるために、取付具に互いに相対する２つのくぼみ部１０２を設けることができ、２つのくぼみ部１０２には同時に１つの接続軸２０４が取り付けられる。
【００３１】
図６に示すように、台座本体１の底面に、さらに台座本体１の底面に固定される振動片１０３が設置され、台座本体１内に振動片１０３を周期的に叩く叩き装置４が取り付けられる。図７ａ、図７ｂを組合せると、叩き装置４は振動片１０３を叩く叩き板４０１と、叩き板４０１を周期的に運動させるクランク伝動部品と、台座本体１の底面内側に固定される駆動部品とを含む。この他、振動片１０３および叩き板４０１が直接衝突してその使用寿命に影響を及ぼすのを防止するために、振動片１０３の内側にクッション４０４を固定することができる。さらに、叩き板４０１が抜け出るのを防止するために、台座本体の内側に固定板４０５を取り付けることもでき、叩き板の運動を制限し、叩き板が抜け出るのを防止する。
【００３２】
この他、台座本体１の底面に殺菌灯取付溝５が設けられ、殺菌灯取付溝５内に紫外線ランプ６が取り付けられる。
【００３３】
この他、本考案はさらに真空掃除機を提供する。当該真空掃除機は、上記実施例の掃除機の台座を含む。
【００３４】
本考案の実施例は、吸入溝１００内に汚れ吸入口を有するローラ２が回転可能に設置され、掃除機で布団など清掃しようとする表面を吸塵するとき、生地が吸入孔に吸入されない。そのため、掃除機の台座は布団上で具合よく動作することができる。
【００３５】
以上開示したのは、本考案の好ましい実施例に過ぎず、当然、これにより本考案の権利範囲を限定することはできない。当業者は、上記実施例の全てのまたは部分的な工程の実現を理解することができ、本実用新案登録請求の範囲に基づいて行われる同等の変化は、やはり考案が包含する範囲に属する。
【図１】
0003193138.tif 000003
【図２】
0003193138.tif 000004
【図３】
0003193138.tif 000005
【図４】
0003193138.tif 000006
【図５】
0003193138.tif 000007
【図６】
0003193138.tif 000008
【図７ａ】
0003193138.tif 000009
【図７ｂ】
0003193138.tif 000010